(57)【要約】【課題】特にマッサージボールを３６０度転動自在とすることにより、如何なる転動方向によっても適度なマッサージ効果が得られる、転動可能なマッサージ器を提供する。【解決手段】本考案の転動可能なマッサージ器は、弧状の連結部材（２０）に固設されるグリップ部（１０）と、周縁に均一に突起部材（３１）が設けられると共に、回転可能なリング状部材（３２）が設けられ、該リング状部材（３２）上における、対向する２つの端がそれぞれ前記連結部材（２０）の両側に枢支されるマッサージボール（３０）と、を含むことを特徴とする。【選択図】  図２
0003119608.tif 000002
【実用新案登録請求の範囲】
【請求項１】
弧状の連結部材（２０）に固設されるグリップ部（１０）と、
周縁に均一に突起部材（３１）が設けられると共に、回転可能なリング状部材（３２）が設けられ、該リング状部材（３２）上における、対向する２つの端がそれぞれ前記連結部材（２０）の両側に枢支されるマッサージボール（３０）と、を含むことを特徴とする転動可能なマッサージ器。
【請求項２】
前記マッサージボール（３０）の周縁にリング状部材（３２）より径が小さく、該リング状部材（３２）を設置するための凹溝（３０１）が形成されることを特徴とする請求項１に記載の転動可能なマッサージ器。
【請求項３】
両端にそれぞれ凸軸が設けられる弧状の連結部材（２０）に固設されるグリップ部（１０）と、対向する２つの端にそれぞれ、前記凸軸を枢支するための、直径が該凸軸より大きい孔を有する凸部材（４１）が設けられ、中央に貫通孔（４２）が形成される、回動可能なリング状部材（４０）と、
２つの半球体ベース（５１，５２）と、該ベース（５１，５２）の表面にそれぞれ設けられるマッサージ部材（５３，５４）を組み合わせてなり、更に該ベース（５１）にはリング状部材（４０）の貫通孔（４２）を貫通する係合ロッド（５１１）が設けられると共に、該ベース（５２）には係合ロッド（５１１）を位置決めするための係合座（５２１）が設けられるマッサージボール（５０）と、を含むことを特徴とする転動可能なマッサージ器。
【考案の詳細な説明】
【技術分野】
【０００１】
本考案は、特にマッサージボールを３６０度転動自在とすることにより、如何なる転動方向によっても適度なマッサージ効果が得られる、転動可能なマッサージ器に関するものである。
【背景技術】
【０００２】
従来のマッサージ器は、電気式と非電気式とに分けられ、該電気式は、マッサージ部材を転動させることにより、擦る、揉む或いはその他のマッサージ効果を提供している。一方、非電気式は、手に持ってマッサージ部材を直接皮膚に接触させて転動させることにより、擦る、揉む或いはその他のマッサージ効果を提供する。しかしながら、上記２種類のマッサージ器にはそれぞれ欠点があり、電気式のマッサージ器では、手を使用する必要がないので、操作上非常に楽であるが、持ち運びが不便であるという問題があり、一方、非電気式のマッサージ器では、電力を用いず、持ち運びも楽であるが、手を用いてマッサージを行う必要があるという問題がある。  
【考案の開示】
【考案が解決しようとする課題】
【０００３】
前記従来の非電気式のマッサージ器には、沢山の種類があり、その中の1つは、手でマッサージボールを持って動かし、マッサージボールの表面に設けられる突起部材を皮膚に接触させて刺激を与えることにより、マッサージ効果、例えば、血液循環を促進し、且つ筋肉を解すなどの効果を提供する。しかしながら、この種のマッサージボールは、直接マッサージボールを手で持ちながら、皮膚上でマッサージの動作を行うため、突起部材と皮膚とが接触する時、大きな摩擦抵抗力が生じ、適度な摩擦力や押圧力が得られないので、好ましいマッサージ効果を達成することができなく、場合によっては不快感を感じることもある。故に、マッサージをする時は、常に力を調節することにより、上記の問題を回避する必要があるので、使用上非常に不便であると共に、疲労の原因にもなる。
【課題を解決するための手段】
【０００４】
本考案に係る請求項１は、弧状の連結部材（２０）に固設されるグリップ部（１０）と、
周縁に均一に突起部材（３１）が設けられると共に、回転可能なリング状部材（３２）が設けられ、該リング状部材（３２）上における、対向する２つの端がそれぞれ前記連結部材（２０）の両側に枢支されるマッサージボール（３０）と、を含むことを特徴とする転動可能なマッサージ器を提供するものである。
【０００５】
本考案に係る請求項２は、前記マッサージボール（３０）の周縁にリング状部材（３２）より径が小さく、該リング状部材（３２）を設置するための凹溝（３０１）が形成されることを特徴とする請求項１に記載の転動可能なマッサージ器を提供するものである。
【０００６】
本考案に係る請求項３は、両端にそれぞれ凸軸が設けられる弧状の連結部材（２０）に固設されるグリップ部（１０）と、対向する２つの端にそれぞれ、前記凸軸を枢支するための、直径が該凸軸より大きい孔を有する凸部材（４１）が設けられ、中央に貫通孔（４２）が形成される、回動可能なリング状部材（４０）と、
２つの半球体ベース（５１，５２）と、該ベース（５１，５２）の表面にそれぞれ設けられるマッサージ部材（５３，５４）を組み合わせてなり、更に該ベース（５１）にはリング状部材（４０）の貫通孔（４２）を貫通する係合ロッド（５１１）が設けられると共に、該ベース（５２）には係合ロッド（５１１）を位置決めするための係合座（５２１）が設けられるマッサージボール（５０）と、を含むことを特徴とする転動可能なマッサージ器を提供するものである。
【考案の効果】
【０００７】
本考案は上記の課題を解決するものであり、グリップ部を有し、該グリップ部の中央に弧状の連結部材が固設され、該連結部材の両端の間の空間にマッサージボールが枢支される。更に前記マッサージボールの表面に均一に突起部材が設けられると共に、回転自在のリング状部材が設置され、該リング状部材上における、対向する２つの端がそれぞれ前記連結部材の両側と枢設される構成を有するので、マッサージボールとリング状部材との間は回転自在であると共に、該リング状部材と連結部材との間も枢転可能な状態である。この構成により、マッサージボールは３６０度転動可能となることから、扱いやすいさをより向上させるだけでなく、同時に摩擦抵抗力も低下させることができるので、優れたマッサージ効果を提供できる。
【考案を実施するための最良の形態】
【０００８】
以下、添付図面を参照して本考案の好適な実施の形態を詳細に説明する。
【実施例】
【０００９】
図１は本考案に係る転動可能なマッサージ器の斜視図であり、図２は本考案に係る転動可能なマッサージ器の分解斜視図であり、図３は本考案に係る転動可能なマッサージ器を皮膚に接触させた状態を示す側面図であり、図４は本考案に係る転動可能なマッサージ器を皮膚上で転動させた状態を示す側面図であり、図５は本考案に係る転動可能なマッサージ器を皮膚上で他の方向に転動させた状態を示す側面図であり、図６は本考案に係る転動可能なマッサージ器の他の実施例を示す部分断面図である。
【００１０】
図１に示すように、本考案に係る転動可能なマッサージ器は、グリップ部（１０）を有し、図中において該グリップ部（１０）は球体であるが、より持ちやすくするために、楕円体或いは指の形状を模った凹凸形状にしてもよい。更に前記グリップ部（１０）の表面に弧状面（１１）が設けられ、これにより、手でグリップ部（１０）を握った時の支持効果が高まる。
【００１１】
図２に示すように、前記グリップ部（１０）の弧状面（１１）と反対する端面に連結部材（２０）が設けられ、該連結部材（２０）の両端の間にマッサージボール（３０）を枢支するための弧状空間（２１）が設けられる。更に前記マッサージボール（３０）の表面に均一に突起部材（３１）が設けられると共に、マッサージボール（３０）上に凹溝（３０１）が形成され、該凹溝（３０１）に該凹溝（３０１）の幅より小さいリング状部材（３２）が設置される。これにより、マッサージボール（３０）がリング状部材（３２）と凹溝（３０１）との滑動構造により回転可能となる。
【００１２】
また、前記リング状部材（３２）における、対向する２つの端にそれぞれ孔（３２１）を有する凸部材（３２２）が設けられると共に、前記連結部材（２０）の両端にそれぞれ直径が孔（３２１）より小さい凸軸（２０１）が設けられる。これにより、マッサージボール（３０）が、連結部材（２０）の弧状空間（２１）内で転動可能となる。尚、前記凸軸（２０１）と凸部材（３２２）の孔（３２１）との固定方式は、螺合方式或いは枢設方式でもよい。更に凸軸（２０１）の直径は孔（３２１）の内径より小さいので、マッサージボール（３０）は、凸軸（２０１）に対して転動可能となる。
【００１３】
前記の構造により、図３に示すように、前記リング状部材（３２）における２つの凸部材（３２２）は、連結部材（２０）に対して回転可能となり、また図４及び図５に示すように、前記グリップ部（１０）を手で握り、マッサージボール（３０）を皮膚と接触させた時、該マッサージボール（３０）は、リング状部材（３２）と連結部材（２０）との間の枢設構造により転動すると共に、リング状部材（３２）に対しても転動可能となるので、マッサージボール（３０）は、３６０度如何なる方向でも転動することができる。故にマッサージボール（３０）は、皮膚に接触した後、単に小さな力を加えるだけで転動し、複数の突起部材（３１）が皮膚上を連続的に押圧するので、マッサージ効果を手軽に得ることができる。
【００１４】
図６に示すように、本考案の他の実施例では、リング状部材（４０）が略円盤状を呈し、その両端にそれぞれ凸部材（４１）が設けられると共に、中央に貫通孔（４２）が形成され、更にマッサージボール（５０）は、表面にマッサージ部材（５３）を有する半円形のベース（５１）と、マッサージ部材（５４）を有するベース（５２）とが組み合わされると共に、ベース（５１）とベース（５２）との間において、係合ロッド（５１１）と係合座（５２１）とが係合して成る。即ち、前記係合ロッド（５１１）が、貫通孔（４２）を貫通して係合座（５２１）内に係合され、マッサージ部材（５３）とマッサージ部材（５４）が、ベース（５１）とベース（５２）の表面に設置されることにより、マッサージボール（５０）とリング状部材（４０）とが組み合わされる。この構成によればベース（５１）及びベース（５２）とリング状部材（４０）との間は完全に密接している状態ではないので、マッサージボール（５０）は、係合ロッド（５１１）を中心として転動でき、また凸部材（４１）と連結部材（２０）との間も枢設状態であるので、本考案のマッサージ器は３６０度どの方向にも転動できる構造を有している。
【００１５】
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００１６】
【図１】本考案に係る転動可能なマッサージ器の斜視図である。
【図２】本考案に係る転動可能なマッサージ器の分解斜視図である。
【図３】本考案に係る転動可能なマッサージ器を皮膚に接触させた状態を示す側面図である。
【図４】本考案に係る転動可能なマッサージ器を皮膚上で転動させた状態を示す側面図である。
【図５】本考案に係る転動可能なマッサージ器を皮膚上で他の方向に転動させた状態を示す側面図である。
【図６】は本考案に係る転動可能なマッサージ器の他の実施例を示す部分断面図である。
【符号の説明】
【００１７】
１０  グリップ部
１１  弧状面
２０  連結部材
２０１  凸軸
２１  弧状空間
３０  マッサージボール
３０１  凹溝
３１  突起部材
３２  リング状部材
３２１  孔
３２２  凸部材
４０  リング状部材
４１  凸部材
４２  貫通孔
５０  マッサージボール
５１  ベース
５１１  係合ロッド
５２  ベース
５２１  係合座
【図１】
0003119608.tif 000003
【図２】
0003119608.tif 000004
【図３】
0003119608.tif 000005
【図４】
0003119608.tif 000006
【図５】
0003119608.tif 000007
【図６】
0003119608.tif 000008